(57)【要約】      （修正有）【課題】各種の発光構造を任意に構成することができる発光構造及びその照明ユニットを提供する。【解決手段】基台２０と発光素子２３とを備え、基台の頂側に少なくとも１つのピン２１が設けられ、発光素子がピンに設けられるとともにピンに電気的に接続され、基台におけるピンに対応する箇所に、基台頂側及び底側に連通された導孔が設けられ、複数の照明ユニット２が一体に配設されることで発光構造が構成される。【選択図】図２Ａ
0003184114.tif 000002
【実用新案登録請求の範囲】
【請求項１】
対向する第１の側及び第２の側を有する基台と、
前記基台の第１の側に形成された少なくとも１つのピンと、
前記基台における前記ピンに対応する箇所に形成され、前記基台の第１の側及び第２の側に連通された少なくとも１つの導孔と、
前記ピンに設けられ、前記ピンに電気的に接続された少なくとも１つの発光素子と、
を備えることを特徴とする照明ユニット。
【請求項２】
前記基台の第１の側又は第２の側は、曲面であることを特徴とする請求項１に記載の照明ユニット。
【請求項３】
前記基台の第１の側にはスリットがさらに設けられていることを特徴とする請求項１に記載の照明ユニット。
【請求項４】
前記ピンには前記導孔に連通される貫通した線孔が設けられていることを特徴とする請求項１に記載の照明ユニット。
【請求項５】
前記ピンの側面は、前記基台の第１の側に対して垂直であることを特徴とする請求項１に記載の照明ユニット。
【請求項６】
前記ピンには案内角が設けられていることを特徴とする請求項１に記載の照明ユニット。
【請求項７】
前記発光素子は、発光ダイオードであることを特徴とする請求項１に記載の照明ユニット。
【請求項８】
前記基台の第１の側又は第２の側に接合された蓋板をさらに備えることを特徴とする請求項１に記載の照明ユニット。
【請求項９】
複数の請求項１に記載の照明ユニットが一体に配設されることで構成されることを特徴とする発光構造。
【請求項１０】
複数の前記照明ユニットは、互いに対向接続され、いずれか１つの前記照明ユニットの導孔は、他の前記照明ユニットのピンに対向接続されることを特徴とする請求項９に記載の発光構造。
【請求項１１】
壁又は板体であることを特徴とする請求項９に記載の発光構造。
【請求項１２】
前記基台の第１の側又は第２の側は、曲面であることを特徴とする請求項９に記載の発光構造。
【請求項１３】
前記基台の第１の側にはスリットがさらに設けられていることを特徴とする請求項９に記載の発光構造。
【請求項１４】
前記ピンには前記導孔に連通される貫通した線孔が設けられていることを特徴とする請求項９に記載の発光構造。
【請求項１５】
前記ピンの側面は、前記基台の第１の側に対して垂直であることを特徴とする請求項９に記載の発光構造。
【請求項１６】
前記ピンには案内角が設けられていることを特徴とする請求項９に記載の発光構造。
【請求項１７】
前記発光素子は、発光ダイオードであることを特徴とする請求項９に記載の発光構造。
【請求項１８】
前記基台の第１の側又は第２の側に接合された蓋板をさらに備えることを特徴とする請求項９に記載の発光構造。
【考案の詳細な説明】
【技術分野】
【０００１】
本考案は、照明ユニットに関し、特に各種の発光構造を任意に構成することができる照明ユニットに関するものである。
【背景技術】
【０００２】
ここ数年来、発光ダイオード（Ｌｉｇｈｔ−Ｅｍｉｔｔｉｎｇ  Ｄｉｏｄｅ、ＬＥＤ）は急速に発展し、従来のタングステン電球、白熱電球、蛍光灯及びフラッシュ電球等の照明灯具に取って代わりつつある。それは、ＬＥＤの電力消費が比較的に低く、かつ、ＬＥＤが輝度、色彩及び切り替え速度において好ましい効果を有しているからである。従って、室内又は室外の照明に応用された場合又は案内機能を提供する交通信号に応用された場合、効果を十分発揮することができる。
【先行技術文献】
【特許文献】
【０００３】
【特許文献１】台湾実用新案第Ｍ３８２５５３号
【考案の概要】
【考案が解決しようとする課題】
【０００４】
図１に示すように、台湾実用新案第Ｍ３８２５５３号は、ＬＥＤランプを広告看板として使用する技術に関し、まず方形パネル１０上に等ピッチの貫通孔１００を開け、さらに複数のＬＥＤランプ１１をそれらの貫通孔１００に挿入して所要の文字又はパターンに配列するものである。
【０００５】
しかしながら、従来のＬＥＤを広告看板とする技術においては、パネル１０の面積範囲や形状が一定であるため、それらのＬＥＤランプ１１がそれらの貫通孔１００の数に制約される。例えば、それらの貫通孔１００の数が不足している場合、それらのＬＥＤランプ１１は、所定の文字又はパターンを表示することができなくなる。
【０００６】
より望ましいパターン又は文字を表示するには、複数の貫通孔１００が必要となるため、パネル１０の面積を増大させる必要が生じる。この場合、パネル１０の設置環境に対する適用性、例えばパネル１０の面積が過大である場合、設置環境に影響を及ぼすか否かを考慮する必要がある。
【０００７】
また、凹凸表面（例えば建築物）上にパネル１０を設置すると、該パネル１０が該凹凸表面を覆うため、本来の凹凸表面が反映されなくなり、本来の構造外観が破壊されてしまうことがある。
【０００８】
従って、上述した従来技術の問題を解決することは、現在極めて重要な課題となっている。
【０００９】
そこで、以上のとおりの事情に鑑み、本考案は、各種の発光構造を任意に構成することができる照明ユニットを提供することを課題とする。
【課題を解決するための手段】
【００１０】
上記の課題を解決するために、本考案は、対向する第１の側及び第２の側を有する基台の第１の側に少なくとも１つのピンが形成され、基台におけるピンに対応する箇所に、第１の側及び第２の側に連通された導孔が形成され、発光素子がピンに設けられることで、発光素子がピンに電気的に接続される照明ユニットを提供する。
【００１１】
さらに、本考案は、複数の前記照明ユニットが一体に配設されてなるものであって、例えば、いずれか１つの前記照明ユニットの導孔が他の前記照明ユニットのピンに対向して接続される発光構造を提供する。
【００１２】
上述のように、本考案に係る照明ユニットは、ピンと導孔の構成により、各種の発光構造として組み付け可能である。即ち所要の文字又はパターンに構成することが可能であり、発光素子を例えば従来のパネルに設ける必要はなくなるため、どのような外部環境にも制約されることはない。従って、本考案に係る照明ユニットは、所定の発光構造として構成するのみならず、設置環境に応じて発光構造の体積を縮小し又は設置環境の一部として直接形成することができるため、適用性が高い。
【００１３】
さらに、凹凸表面（例えば建築物）に所要の文字又はパターンを形成しようとする場合、凹凸表面は発光構造を用いて製造することができ、所要の凹凸表面を反映できるとともに、発光素子により所要の文字又はパターンを表現することができる。従って、本考案に係る照明ユニットは、異なる構造外形に応じて発光構造を製造することができ、壁又は板体のいずれの構造にも適用することができるため、実用かつ多機能の目的を達成することができる。
【図面の簡単な説明】
【００１４】
【図１】従来のＬＥＤランプ広告看板の立体模式図を示す。
【図２Ａ】本考案に係る照明ユニットの立体模式図を示す。
【図２Ｂ】本考案に係る照明ユニットの立体模式図を示す。
【図３】本考案に係る発光構造の異なる実施例の立体模式図を示す。
【図４】本考案に係る発光構造の異なる実施例の立体模式図を示す。
【図５】本考案に係る発光構造の異なる実施例の立体模式図を示す。
【図６】本考案に係る発光構造の異なる実施例の立体模式図を示す。
【考案を実施するための形態】
【００１５】
以下、具体的な実施例を用いて本考案の実施形態を説明する。この技術分野に精通した者は、本明細書の記載内容によって簡単に本考案のその他の利点や効果を理解できる。
【００１６】
また、明細書に添付された図面に示す構造、比例、寸法等は、この技芸に周知する者が理解できるように明細書に記載の内容に合わせて説明されるものであり、本考案の実施を制限するものではないため、技術上の実質的な意味を有せず、いかなる構造の修正、比例関係の変更又は寸法の調整も、本考案の効果及び目的に影響を与えるものでなければ、いずれも本考案に開示された技術内容の範囲に入る。また、明細書に記載された例えば「上」、「下」、「頂」、「底」、「第１」、「第２」、「一」等の用語は、説明が容易に理解できるようにするためのものに過ぎず、本考案の実施可能な範囲を限定するものではなく、その相対関係の変更又は調整は、技術内容の実質的変更がなければ、本考案の実施可能の範囲と見なされる。
【００１７】
図２Ａ及び図２Ｂは、本考案に係る照明ユニット２の立体模式図を示す。図２Ａ及び図２Ｂに示すように、照明ユニット２は、基台２０と、複数のピン２１と、複数の導孔２２と、複数の発光素子２３とを備える。
【００１８】
基台２０は、台座として用いられ、対向する第１の側２０ａ及び第２の側２０ｂを有し、第１の側２０ａに複数のピン２１が形成されている。
【００１９】
ピン２１は、柱体であり、その側面２１ａが基台２０の第１の側２０ａに対して垂直であり、その側面２１ａの周縁に案内角２１０が形成されている。
【００２０】
導孔２２は、基台２０の第１の側２０ａ及び第２の側２０ｂに連通され、ピン２１の位置に対応している。
【００２１】
発光素子２３は、発光ダイオード（ＬＥＤ）であり、一部のピン２１の頂側に設けられている。
【００２２】
この実施例において、基台２０の第１の側２０ａにはスリット２００がさらに設けられており、基台２０の形状は、円形、矩形、柱形、板形又は不規則形状等の各種立体構造であってもよく、特に制限されるものではない。
【００２３】
さらに、ピン２１には導孔２２に連通される貫通した線孔２１１が設けられることで、回路（図示せず）が線孔２１１を介して各発光素子２３に電気的に接続される。実際には、まずピン２１の頂側に凹口を形成し、さらに該凹口の底部に微小な線孔２１１を形成することができる。  
【００２４】
また、各ピン２１の間は、マトリックス状に等ピッチで配列されるが、このような配設方法に制限されるものではない。
【００２５】
また、ピン２１の形状は、円形、矩形、柱形、板形又は不規則状等の各種立体構造であってもよく、特に制限されるものではない。
【００２６】
図３ないし６は、本考案に係る発光構造３、４、５、６の立体模式図を示す。
【００２７】
図３に示すように、複数の照明ユニット２ａを互いに対向して接続させることで発光構造３を形成し、いずれか１つの照明ユニット２ａの導孔２２を他の照明ユニット２ａのピン２１に対向接続させることで一体に結合する。この実施例において、発光構造３は、外付け回路９の電源端として、その最外端にある照明ユニット２ａの基台２０の第１の側２０ａ及び第２の側２０ｂにそれぞれ接合された蓋板２４ａ、２４ｂをさらに備える。
【００２８】
図４に示すように、発光構造４は、体積の小さい複数の照明ユニット２ｃが体積の大きい照明ユニット２ｂに対向接続され、該体積の大きい照明ユニット２ｂの基台２０の第１の側２０ａ’及び第２の側２０ｂ’が曲面であり、例えば波状であるため、発光構造４は、波状となる。
【００２９】
図５に示すように、発光構造５は、複数の照明ユニット２ｄが互いに対向して接続重畳されＬ形壁となるように形成され、複数の蓋板２４’により最頂層にある照明ユニット２ｄの基台２０の第１の側２０ａに接合される。この実施例において、発光構造５は、建築構造に容易に応用されるように、発光素子２３を装飾、照明及び案内として用い、組み合わせ、交換又は造形変換が素早くできるように構成されている。さらに、該壁の形状は、上述のＬ形に限定されず、必要に応じて設計することができる。
【００３０】
図６に示すように、発光構造６は、複数の照明ユニット２ｅが並列されてなる板体であり、複数の蓋板２４’’によりそれらの照明ユニット２ｅの基台２０の第１の側２０ａに接合される。この実施例において、発光構造６は、家庭用品、例えばディー・アイ・ワイ（ＤＩＹ）床板又は天井板として使用可能であり、かつ災害即応のための応急救助（照明）板、例えば水害用のフローティング板に適用可能である。その他の実施例において、板体状の発光構造は、単一の大面積の照明ユニットとそれに対応する蓋板とからなってもよく、複数の照明ユニットが並列され、上下層が対向して接続されてなってもよい。
【００３１】
従って、本考案に係る発光構造３、４、５、６は、どのような外部環境にも制約されず、且つ従来技術のパネルにも制約されることなく、所定の構造、例えば図３に示す発光構造３を効果的に形成することができ、若しくは設置環境（例えば図５、６に示す発光構造５、６）の一部として直接形成することができる。
【００３２】
さらに、平坦表面、凹凸表面又は湾曲表面に所要の文字又はパターンを形成する必要がある場合、発光構造４、５、６を用いてそれらの表面を製造することができる。従って、本考案に係る照明ユニット２ｂ、２ｃ、２ｄ、２ｅは、異なる構造外形に合わせて発光構造４、５、６を製造することができ、いかなる壁又は板体の構造にも応用することができ、実用かつ多機能の目的を達成することができる。
【００３３】
また、照明ユニット２、２ａ、２ｂ、２ｃ、２ｄ、２ｅにおいて、必要に応じて一部または全部のピン２１に発光素子２３を設けてもよく、全部のピン２１が発光素子２３を有しないようにしてもよい。
【００３４】
上述した各発光構造３、４、５、６の実施例において、各照明ユニット２ａ、２ｂ、２ｃ、２ｄ、２ｅ又は蓋板２４ａ、２４ｂ、２４’、２４’’が対向接続された場合、蓋板２４ａ、２４ｂ、２４’、２４’’は、ピン２１又は導孔２２に対応する凹構造又は凸構造を有する。
【００３５】
さらに、対向接続を行う場合、ピン２１の側面２１ａは、磨合面として垂直に形成されることで、ピン２１と導孔２２との摩擦接合力が増大し、また、導孔２２は、吸盤吸着原理によりピン２１に緊密に嵌合されるために、磨合気室として用いられる。
【００３６】
また、対向接続を行う場合、スリット２００は、ピン２１及び導孔２２の取り外し動作時のモーメント力印加角として用いられる。
【００３７】
また、対向接続を行う場合、案内角２１０は、各基台２０が対向して接続又は接合された場合、余分な空気又は流体が容易に排出されるようにするためのものである。
【００３８】
本明細書及び実施例は、本考案の原理とその効果を例示的に説明するものに過ぎず、本考案を限定するものではない。この技芸に精通する者は、本考案の主旨を逸脱しない範囲において、上述した実施例に種々の修正を施すことが可能であり、そうした修正も本考案の範囲に含まれる。本考案の権利保護範囲は、実用新案登録請求の範囲の通りである。
【符号の説明】
【００３９】
１０  パネル
１００  貫通孔
１１  ＬＥＤランプ
２、２ａ、２ｂ、２ｃ、２ｄ、２ｅ  照明ユニット
２０  基台
２０ａ、２０ａ’  第１の側
２０ｂ、２０ｂ’  第２の側
２００  スリット
２１  ピン
２１ａ  側面
２１０  案内角
２１１  線孔
２２  導孔
２３  発光素子
２４ａ、２４ｂ、２４’、２４’’  蓋板
３、４、５、６  発光構造
９  外付け回路
【図１】
0003184114.tif 000003
【図２Ａ】
0003184114.tif 000004
【図２Ｂ】
0003184114.tif 000005
【図３】
0003184114.tif 000006
【図４】
0003184114.tif 000007
【図５】
0003184114.tif 000008
【図６】
0003184114.tif 000009